(57)【要約】【課題】ストリーミングデータを再生する際に、再生装置側で処理の手間を要することなく当該ストリーミングデータを消去する。【解決手段】再生装置２０を外部１０から供給されるストリーミングデータが記憶される破壊読出型メモリ２４ａと、データの再書込動作を伴わずに破壊読出型メモリ２４ａに記憶されたストリーミングデータを破壊的に読み出すデータ読出部２４ｂと、データ読出部２４ｂにより読み出されたストリーミングデータを再生する再生部２５とを備えて構成する。【選択図】図２
2009130568.tif 000002
【特許請求の範囲】
【請求項１】
外部から供給されるストリーミングデータが記憶される破壊読出型メモリと、
データの再書込動作を伴わずに前記破壊読出型メモリに記憶された前記ストリーミング
データを破壊的に読み出すデータ読出部と、
前記データ読出部により読み出されたストリーミングデータを再生する再生部と、
を備えることを特徴とする再生装置。
【請求項２】
請求項１記載の再生装置において、
前記破壊読出型メモリに記憶されたストリーミングデータが再生後も記憶保持が許可さ
れているデータであるか否かを前記ストリーミングデータに付随する付随情報に基づいて
判別する判別部と、
前記判別部により前記ストリーミングデータが再生後も記憶保持が許可されているデー
タであると判別された場合に、前記データ読出部により読み出されたストリーミングデー
タを再び前記破壊読出型メモリに書き込むデータ書込部と、
を備えることを特徴とする再生装置。
【請求項３】
請求項１記載の再生装置において、
前記破壊読出型メモリに記憶されたストリーミングデータが再生後も記憶保持が許可さ
れているデータであるか否かを前記ストリーミングデータに付随する付随情報に基づいて
判別する判別部と、
前記判別部により前記ストリーミングデータが再生後も記憶保持が許可されているデー
タであると判別された場合に、前記データ読出部により読み出されたストリーミングデー
タを記憶保持するストリーミングデータ記憶保持部と、
を備えることを特徴とする再生装置。
【請求項４】
請求項２又は３記載の再生装置において、
前記ストリーミングデータは、通信ネットワークを介して外部のコンテンツ配信サーバ
から配信されるコンテンツデータであること、
を特徴とする再生装置。
【請求項５】
外部から供給されるコンテンツデータが、再生後も記憶保持が許可されているデータで
あるか否かを前記コンテンツデータに付随する付随情報に基づいて判別する判別部と、
前記判別部により前記コンテンツデータについて、再生後も記憶保持が許可されている
データではないと判別された場合に、前記コンテンツデータが記憶される破壊読出型メモ
リと、
データの再書込動作を伴わずに前記破壊読出型メモリに記憶された前記コンテンツデー
タを破壊的に読み出すデータ読出部と、
前記データ読出部により読み出されたコンテンツデータを再生する再生部と、
を備えることを特徴とする再生装置。
【請求項６】
破壊読出型メモリと、データの再書込動作を伴わずに破壊読出型メモリに記憶されたデ
ータを破壊的に読み出すデータ読出部と、データ読出部により読み出されたデータを再生
する再生部とを備えた再生装置を制御するための再生装置の制御方法であって、
外部から供給されるストリーミングデータを前記破壊読出型メモリに記憶する過程と、
前記データ読出部により前記破壊読出型メモリに記憶されたストリーミングデータをデ
ータの再書込動作を伴わずに破壊的に読み出す過程と、
前記破壊データ読出部により破壊的に読み出されたストリーミングデータを再生部によ
り再生させる過程と、
を備えることを特徴とする再生装置の制御方法。
【請求項７】
破壊読出型メモリと、データの再書込動作を伴わずに破壊読出型メモリに記憶されたデ
ータを破壊的に読み出すデータ読出部と、データ読出部により読み出されたデータを再生
する再生部とを備えた再生装置を制御するための制御プログラムであって、
外部から供給されるストリーミングデータを前記破壊読出型メモリに記憶させ、
前記データ読出部により前記破壊読出型メモリに記憶されたストリーミングデータをデ
ータの再書込動作を伴わずに破壊的に読み出させ、
前記破壊データ読出部により破壊的に読み出されたストリーミングデータを再生部によ
り再生させることを特徴とする制御プログラム。
【発明の詳細な説明】
【技術分野】
【０００１】
本発明は、外部から供給されるストリーミングデータを再生する再生装置、コンテンツ
再生方法および制御プログラムに関する。
【背景技術】
【０００２】
従来から、コンテンツ配信サーバからインターネットなどの通信ネットワークを介して
コンテンツデータ（ストリーミングデータ）を音楽再生装置等の再生装置にストリーミン
グ配信することが行われている。再生装置ではコンテンツ配信サーバからパケット単位で
送信されてくるコンテンツデータをメモリに一時的に格納しながら、メモリに格納された
コンテンツデータが一定量に達すると再生を開始する。このように、ユーザ端末側では一
定量のコンテンツデータを受信すればコンテンツデータの再生を開始することができるた
め、楽曲データや動画データなどのデータ量の大きいコンテンツデータを配信する場合に
、このストリーミング配信技術が用いられている。
また、ストリーミング再生を行う場合、再生装置側ではコンテンツデータの再生終了時
や当該再生装置の電源切断時などの所定のタイミングで、メモリからコンテンツデータを
強制的に削除する処理が行われる（例えば、特許文献１参照）。このため、楽曲購入前に
ユーザに楽曲データを試聴させる場合など、再生装置側でコンテンツデータが記憶保持さ
れて何度も繰り返し再生されると好ましくないような場合に、ストリーミング配信技術を
利用してコンテンツデータを配信することが広く行われている。
【特許文献１】特開２００５−３０９０２９号公報
【発明の開示】
【発明が解決しようとする課題】
【０００３】
しかしながら、上記従来の再生装置（特許文献１）にあっては、上述したようにコンテ
ンツデータを消去するタイミングを監視して、コンテンツデータの再生処理とは別にコン
テンツデータを消去する処理を行う必要があるため、処理の手間を要していた。
また、コンテンツ配信業者が再生装置側で記憶保持されて何度も繰り返し再生させると
好ましくないようなコンテンツデータを安心してユーザに配信するためには、再生装置側
でストリーミング再生後に確実にコンテンツデータが消去されることが望まれる。
本発明の課題は、ストリーミングデータを再生する際に、再生装置側で処理の手間を要
することなく当該ストリーミングデータを消去することのできる再生装置、コンテンツ再
生方法および制御プログラムに関する。
【課題を解決するための手段】
【０００４】
上記課題を解決するため、本発明の再生装置は、外部から供給されるストリーミングデ
ータが記憶される破壊読出型メモリと、データの再書込動作を伴わずに前記破壊読出型メ
モリに記憶された前記ストリーミングデータを破壊的に読み出すデータ読出部と、前記デ
ータ読出部により読み出されたストリーミングデータを再生する再生部と、を備えること
を特徴とする。
上記構成によれば、当該再生装置に対して外部からストリーミングデータが供給された
場合、このストリーミングデータは破壊読出型メモリに記憶される。再生部は、データ読
出部によりデータの再書込動作を伴わずに破壊読出型メモリから読み出されたストリーミ
ングデータを再生する。データ読出部により破壊型メモリからストリーミングデータが読
み出されるときに、読み出されたストリーミングデータは破壊読出型メモリから失われる
ため、ストリーミングデータを再生する際に、処理の手間を要することなく当該ストリー
ミングデータを消去することができる。
ここで、ストリーミングデータは、ストリーム再生に供される動画データ、音声データ
等のコンテンツデータを指す。
また、破壊読出型メモリとは、記憶したデータが読み出される際に、この読み出された
データが失われる破壊読出方式によりデータが読み出されるメモリを指し、例えば破壊読
出型のＦｅＲＡＭ（Ferroelectric Random Access Memory）などの強誘電体メモリなどを
用いて構成することができる。
また、データの再書込動作を伴わずにストリーミングデータを破壊的に読み出すとは、
上記した破壊読出方式により破壊読出型メモリからストリーミングデータを読み出すこと
を指す。この場合、仮に破壊読出型メモリに周辺回路として読み出されたデータの再書込
を行う書込回路などが設けられている場合であっても、書込回路により読み出したデータ
を書き込む再書込動作を行わせずに、データを読み出すことを指す。
【０００５】
上記構成において、前記破壊読出型メモリに記憶されたストリーミングデータが再生後
も記憶保持が許可されているデータであるか否かを前記ストリーミングデータに付随する
付随情報に基づいて判別する判別部と、前記判別部により前記ストリーミングデータが再
生後も記憶保持が許可されているデータであると判別された場合に、前記データ読出部に
より読み出されたストリーミングデータを再び前記破壊読出型メモリに書き込むデータ書
込部と、を備えることが好ましい。
上記構成によれば、判別部はストリーミングデータに付随する付随情報に基づいて、破
壊読出型メモリに記憶されたストリーミングデータが再生後も記憶保持が許可されている
データか否かを判別することができる。判別部により、再生後も記憶保持が許可されてい
ると判別されたストリーミングデータは、データ書込部により破壊読出型メモリに再び書
き込まれる。このため、再生後も再生装置側で記憶保持することができるストリーミング
データについては、破壊読出型メモリに再び書き込まれ、繰り返し再生部において再生す
ることができる。
ここで、ストリーミングデータに付随する付随情報とは、当該ストリーミングデータが
再生後も記憶保持が許可されているデータであるか否かを判別するために用いられる情報
を指す。
また、再生後も記憶保持が許可されているデータは、再生後の記憶保持がストリーミン
グデータの供給側等から積極的に許可されているデータは勿論のこと、再生後の記憶保持
がストリーミングデータの供給側等から特に制限されていないデータをも含む。また、再
生後も再生装置側で記憶保持されることが前提として配信されるデータも含む。
【０００６】
また、上記構成に代えて、前記破壊読出型メモリに記憶されたストリーミングデータが
再生後も記憶保持が許可されているデータであるか否かを前記ストリーミングデータに付
随する付随情報に基づいて判別する判別部と、前記判別部により前記ストリーミングデー
タが再生後も記憶保持が許可されているデータであると判別された場合に、前記データ読
出部により読み出されたストリーミングデータを記憶保持するストリーミングデータ記憶
保持部と、を備える構成としてもよい。
上記構成によれば、判別部により再生後も記憶保持が許可されているストリーミングデ
ータはストリーミングデータ記憶保持部に記憶されるため、繰り返し再生部において再生
することができる。
【０００７】
また、上記構成において、前記ストリーミングデータは、通信ネットワークを介して外
部のコンテンツ配信サーバから配信されるコンテンツデータであることが好ましい。
上記構成によれば、再生装置側にストリーミングデータとして配信したコンテンツデー
タが、破壊型読出メモリに記憶され、破壊型読出メモリから破壊的に読み出されて再生さ
れる。このため、コンテンツ配信業者等のコンテンツデータを供給する側では、著作権管
理が行われているような再生装置側で記憶保持されて何度も繰り返し再生させることが好
ましくないようなコンテンツデータであっても、ユーザ側に安心して配信することができ
る。
【０００８】
また、本発明の再生装置は、外部から供給されるコンテンツデータが、再生後も記憶保
持が許可されているデータであるか否かを前記コンテンツデータに付随する付随情報に基
づいて判別する判別部と、前記判別部により前記コンテンツデータについて、再生後も記
憶保持が許可されているデータではないと判別された場合に、前記コンテンツデータが記
憶される破壊読出型メモリと、データの再書込動作を伴わずに前記破壊読出型メモリに記
憶された前記コンテンツデータを破壊的に読み出すデータ読出部と、前記データ読出部に
より読み出されたコンテンツデータを再生する再生部と、を備えることを特徴とする。
上記構成によれば、判別部は、外部から供給されるコンテンツデータに付随する付随情
報に基づいて、当該コンテンツデータが再生後も記憶保持が許可されているデータである
か否かを判別する。判別部により、再生後も記憶保持が許可されているデータではないと
判別されたコンテンツデータは、破壊読出型メモリに記憶される。再生部は、データ読出
部によりデータの再書込動作を伴わずに破壊読出型メモリから読み出されたコンテンツデ
ータを再生する。データ読出部により破壊型メモリからコンテンツデータが読み出される
ときに、読み出されたコンテンツデータは破壊読出型メモリから失われるため、再生装置
側で再生後も記憶保持が許可されていないコンテンツデータを再生する際に、処理の手間
を要することなく当該コンテンツデータを消去することができる。
ここで、コンテンツデータは、動画データ、音声データ、文書データを含む。また、外
部から供給されるコンテンツデータは、通信ネットワーク等を介して接続されるコンテン
ツ配信サーバから供給されるものであってもよいし、ハードディスク等の記憶装置を内蔵
し、記憶装置内に記憶されたコンテンツデータの再生を行うことのできる携帯型音楽再生
装置のような外部機器から転送されるコンテンツデータであってもよい。
また、上記と同様に、再生後も記憶保持が許可されているデータは、再生後の記憶保持
がコンテンツデータの供給側等から積極的に許可されているデータは勿論のこと、再生後
の記憶保持がコンテンツデータの供給側等から特に制限されていないデータをも含む。ま
た、再生後も再生装置側で記憶保持されることが前提として配信されるコンテンツデータ
も含む。一方、再生後の記憶保持が許可されていないデータには、再生後の記憶保持がス
トリーミングデータのようにコンテンツ配信業者側がストリーミング再生の特質に基づき
、配信したデータが再生後に消去されることを前提として配信されるデータが含まれる。
【０００９】
また、本発明の再生装置の制御方法は、破壊読出型メモリと、データの再書込動作を伴
わずに破壊読出型メモリに記憶されたデータを破壊的に読み出すデータ読出部と、データ
読出部により読み出されたデータを再生する再生部とを備えた再生装置を制御するための
再生装置の制御方法であって、外部から供給されるストリーミングデータを前記破壊読出
型メモリに記憶する過程と、前記データ読出部により前記破壊読出型メモリに記憶された
ストリーミングデータをデータの再書込動作を伴わずに破壊的に読み出す過程と、前記破
壊データ読出部により破壊的に読み出されたストリーミングデータを再生部により再生さ
せる過程と、を備えることを特徴とする。
【００１０】
また、本発明の制御プログラムは、破壊読出型メモリと、データの再書込動作を伴わず
に破壊読出型メモリに記憶されたデータを破壊的に読み出すデータ読出部と、データ読出
部により読み出されたデータを再生する再生部とを備えた再生装置を制御するための制御
プログラムであって、外部から供給されるストリーミングデータを前記破壊読出型メモリ
に記憶させ、前記データ読出部により前記破壊読出型メモリに記憶されたストリーミング
データをデータの再書込動作を伴わずに破壊的に読み出させ、前記破壊データ読出部によ
り破壊的に読み出されたストリーミングデータを再生部により再生させることを特徴とす
る。
この場合において、制御プログラムをコンピュータで読取可能な記憶媒体に記憶するよ
うにしても良い。
【発明の効果】
【００１１】
本発明によれば、ストリーミングデータを再生する際に、再生装置側で処理の手間を要
することなく当該ストリーミングデータを消去することができる。
【発明を実施するための最良の形態】
【００１２】
以下、図面を参照して本発明の実施の形態を説明する。
〔第一の実施の形態〕
図１は、本発明の第一の実施の形態の再生装置２０を含むコンテンツ配信システム１０
０の構成を示す図である。図１に示すように、このコンテンツ配信システム１００は、コ
ンテンツ配信サーバ１０と再生装置２０とがインターネット、ＷＡＮ、ＬＡＮなどの通信
ネットワークＮを介して接続されており、コンテンツ配信サーバ１０と再生装置２０との
間で、所定の通信プロトコルに従って通信制御信号の送受信や各種データの送受信が行わ
れる。
【００１３】
コンテンツ配信サーバ１０は、サーバーコンピュータなどを用いて構成される。コンテ
ンツ配信サーバ１０はコンテンツ配信業者等により管理され、通信ネットワークＮを介し
て音楽の楽曲データや、音楽ビデオなどの動画データ等の各種のコンテンツデータを再生
装置２０にストリーム配信するものである。ここで、コンテンツ配信サーバ１０は再生装
置２０に対してコンテンツデータをストリーム配信する際に、所定のストリーミング技術
を用いて、コンテンツデータを所定の大きさに分割してパケット化し、これをストリーミ
ングデータとして送信する。例えば、RealAudio（登録商標）、RealVideo（登録商標）、
QuickTime（登録商標）、Windows Media（登録商標）などのストリーミング技術を用いて
、コンテンツデータを配信することができる。
また、コンテンツ配信サーバ１０は、ユーザにコンテンツデータをストリーミング配信
する際に、配信するストリーミングデータを再生装置２０の側で再生後も記憶保持が可能
であるか否かを示す記憶保持可否情報（付随情報）をストリーミングデータと共に再生装
置２０に送信することができる。
【００１４】
再生装置２０は、例えば、パーソナルコンピュータ（ＰＣ）などを用いて構成すること
ができ、図２に示すように、入力Ｉ／Ｆ部２１と、出力Ｉ／Ｆ部２２と、通信Ｉ／Ｆ部２
３と、破壊読出型記憶部２４と、再生部２５と、記憶部２６と、制御部２７（判別部）と
を備えている。
入力Ｉ／Ｆ部２１は、図示しないキーボードやマウス等と接続され、これらから各種操
作入力を取得し、入力信号を生成して制御部２７に出力するものである。ユーザはキーボ
ードやマウス等の操作手段を介して、ストリーミングデータの配信要求などを操作入力す
ることができる。
出力Ｉ／Ｆ部２２は、制御部２７の制御の下、当該出力Ｉ／Ｆ部２２を介して当該再生
装置２０に接続された液晶パネル等の表示装置に表示データを出力したり、スピーカ装置
等の音声出力装置に対して音声出力を行うものである。
通信Ｉ／Ｆ部２３は、制御部２７の制御の下、通信ネットワークＮを介して上記コンテ
ンツ配信サーバ１０と通信するためのインターフェースである。
【００１５】
破壊読出型記憶部２４は、ストリーミングデータが記憶される破壊読出型メモリ２４ａ
と、破壊読出型メモリ２４ａからデータを破壊的に読み出すデータ読出部２４ｂと、破壊
読出型メモリ２４ａにデータを書き込むデータ書込部２４ｃとを備えている。
破壊読出型メモリ２４ａは、記憶したデータが読み出されるときに、この読み出された
データが失われる破壊読出方式によりデータが読み出されるものである。このような破壊
読出型メモリ２４ａとして、例えば、半導体記憶素子の一つであるＦｅＲＡＭ（Ferroele
ctric  Random  Access  Memory)を挙げることができる。ＦｅＲＡＭは、強誘電体のヒス
テリシスを利用した不揮発性の半導体記憶素子であり、強誘電体メモリと呼ばれる。強誘
電体メモリは高速で消費電力が少ないという利点がある一方、読み出し時にデータが失わ
れるという、いわゆる、破壊型読み出しとなる。すなわち、強誘電体メモリは強誘電体の
分極状態を０と１に対応させてデータを記憶し、この強誘電体メモリからデータを読み出
す際には、パルス電圧が印加され、分極反転が起きて電流が流れるか否に基づいて、デー
タの１と０が判定される。
【００１６】
データ読出部２４ｂは、この破壊読出型メモリ２４ａに記憶されたデータを読み出すデ
ータ読出回路などにより構成されるもので、制御部２７の制御の下、破壊型メモリに一定
量のストリーミングデータが記憶された場合それを読み出して、制御部２７に出力する。
データ読出部２４ｂにより破壊読出型メモリ２４ａからデータを読み出される際に、デー
タ書込部２４ｃによる読み出したデータの再書込動作が伴われなければ破壊読出型メモリ
２４ａから読み出されたデータは失われ、破壊読出型メモリ２４ａから消去される。上述
したＦｅＲＡＭでは、データが読み出される際に、元のデータが１か０かに関係なく電圧
が印加された方向に分極するので、データ読出部２４ｂから読み出されたデータは復元不
可能な形態で破壊読出型メモリ２４ａから消去される。
【００１７】
データ書込部２４ｃは、破壊読出型メモリ２４ａに対してデータを書き込むデータ書込
回路などにより構成されるもので、制御部２７の制御の下、通信Ｉ／Ｆ部２３を介して入
力されるストリーミングデータを破壊読出型メモリ２４ａに書き込む。また、後述するよ
うに、データ書込部２４ｃは、制御部２７の制御に基づき、データ読出部２４ｂにより破
壊読出型メモリ２４ａから読み出されたデータを再び破壊読出型メモリ２４ａに書き込む
再書込動作を行う場合もある。
【００１８】
再生部２５は、制御部２７の制御の下、次に説明する破壊読出型記憶部２４に一定量の
ストリーミングデータが格納されると、それを所定のストリーミング技術を用いて、順次
再生して、再生信号を出力Ｉ／Ｆ部２２を介して表示装置や音声出力装置に出力するもの
である。
【００１９】
記憶部２６は、制御部２７により実行される各種制御プログラムやデータを記憶するも
ので、ハードディスク装置やＲＯＭ等の記憶装置から構成される。
【００２０】
制御部２７は、ＣＰＵ、ＲＡＭ、ＲＯＭ等を備えて構成され、上記各部との間で制御信
号やデータの送受を行う。制御部２７において、ＣＰＵは記憶部２６あるいはＲＯＭに格
納された各種制御プログラムをＲＡＭの一部を作業領域として各種演算を行うことにより
、これらの協働により再生装置２０全体の動作を制御して、次に説明するストリーミング
再生処理などの各種の処理を実行する。
【００２１】
次に、図３を参照して本実施の形態の動作を説明する。
図３はストリーミング再生処理の手順を示すフローチャートである。
ユーザが入力Ｉ／Ｆ部２１に接続されるキーボードやマウスなどの操作手段を介してス
トリーミングデータの配信要求操作を行うと、制御部２７には入力Ｉ／Ｆ部２１を介して
ストリーミングデータの配信要求操作に対応する入力信号が入力される。制御部２７に配
信要求操作に対応した入力信号が入力されると（ステップＳ１：Ｙ）、制御部２７は所定
の通信プロトコルに従って、通信Ｉ／Ｆ部２３を介してコンテンツ配信サーバ１０にユー
ザの配信要求に対応するストリーミングデータの配信要求信号を送信する（ステップＳ２
）。
【００２２】
コンテンツ配信サーバ１０では、再生装置２０の側から送信されたストリーミングデー
タの配信要求信号を受信すると（ステップＳ３）、配信要求に対応したコンテンツデータ
のストリーミング送信を開始し（ステップＳ４）、再生装置２０に送信すべき全てのスト
リーミングデータの送信が終了するまで（ステップＳ５：Ｙ）、ストリーミングデータの
送信が行われる（ステップＳ４）。
【００２３】
一方、再生装置２０ではストリーミングデータの受信を受けると（ステップＳ６）、こ
れを破壊読出型記憶部２４に格納する（ステップＳ７）。この際、制御部２７の制御の下
、データ書込部２４ｃにより破壊読出型メモリ２４ａにコンテンツ配信サーバ１０から送
信されてきたストリーミングデータが記憶される。制御部２７は、このコンテンツ配信サ
ーバ１０から配信されるストリーミングデータが、再生後も記憶保持が許可されているデ
ータであるかを判別し（ステップＳ８）、再生後も記憶保持が許可されているデータでな
い場合（ステップＳ８：Ｎ）、破壊読出型メモリ２４ａに記憶されたストリーミングデー
タが再生可能な一定量に達すると、データ書込部２４ｃによるデータの再書込動作を伴わ
ずに、データ読出部２４ｂにより破壊読出型メモリ２４ａからストリーミングデータを破
壊的に読み出させて（ステップＳ９）、ストリーミングデータを再生して、再生信号を出
力Ｉ／Ｆ部２２を介して表示装置や音声出力装置などに出力し（ステップＳ１０）、スト
リーミングデータの再生が終了するまで（ステップＳ１１：Ｙ）、上記処理を繰り返す。
但し、図３においては図示を簡略化したが、ステップＳ６、ステップＳ７の処理は、パケ
ット化されて送信されるストリーミングデータの受信が終了するまで順次繰り返される。
【００２４】
また、ステップＳ８において、制御部２７は、このストリーミングデータが再生後も再
生装置２０の側で記憶保持が許可されているデータであるか否かを判別する際には、スト
リーミングデータに付随する付随情報に基づいて行う。ここで、ストリーミングデータに
付随する付随情報とは、当該ストリーミングデータが再生後も記憶保持が許可されている
データであるか否かを判別するために用いられる情報を指す。また、コンテンツ配信サー
バ１０からストリーミングデータとともに、上述した記憶保持可否情報が付随情報として
送信されている場合には、制御部２７はこの記憶保持可否情報に基づいて、ストリーミン
グデータが再生後も再生装置２０の側で記憶保持が許可されているデータであるか否かを
判別する。
但し、再生装置２０の側で再生後も記憶保持が許可されているデータとは、再生後の記
憶保持がコンテンツ配信業者等のストリーミングデータの供給側から積極的に許可されて
いるデータは勿論のこと、再生後の記憶保持がストリーミングデータの供給側等から特に
制限されていないデータをも含む。また、コンテンツ配信サーバ１０から、再生後も再生
装置２０の側で記憶保持されることが前提として配信されるストリーミングデータは再生
後も記憶保持が許可されているデータに含まれる。
【００２５】
一方、ステップＳ８において、制御部２７が、配信されたストリーミングデータが再生
後も再生装置２０の側で記憶保持が許可されているデータであると判別した場合（ステッ
プＳ８：Ｙ）、データ読出部２４ｂにより破壊読出型メモリ２４ａに記憶されたストリー
ミングデータを破壊的に読み出しながら（ステップＳ１２）、データ読出部２４ｂにより
読み出されたストリーミングデータをデータ書込部２４ｃにより再び破壊読出型メモリ２
４ａに書き込ませる（ステップＳ１３）。その後、データ読出部２４ｂにより読み出され
たストリーミングデータは再生部２５により再生される（ステップＳ１０）。
【００２６】
但し、図３においては、コンテンツ配信サーバ１０から配信されたストリーミングデー
タが再生後も再生装置２０の側で記憶保持が許可されているデータであるか否かを、破壊
読出型記憶部２４にストリーミングデータを格納した（ステップＳ７）後に判別する構成
としているが、再生後も再生装置２０の側で記憶保持が許可されているデータである場合
に、データ書込部２４ｃにより読み出したデータの再書込動作が可能なタイミングであれ
ば、当該判別をいつ行っても良い。
【００２７】
以上説明した上記実施の形態によれば、コンテンツ配信サーバ１０（外部）から再生装
置２０にストリーミングデータが配信（供給）された場合、このストリーミングデータは
破壊読出型メモリ２４ａに記憶される。再生部２５は、データ読出部２４ｂにより破壊読
出型メモリ２４ａから破壊的に読み出されたストリーミングデータを再生する。データ読
出部２４ｂにより破壊型メモリからストリーミングデータが読み出されるときに、読み出
されたストリーミングデータは破壊読出型メモリ２４ａから失われるため、ストリーミン
グデータを再生する際に、処理の手間を要することなく当該ストリーミングデータを消去
することができる。
【００２８】
また、上記実施の形態では、制御部２７はストリーミングデータに付随する付随情報に
基づいて、破壊読出型メモリ２４ａに記憶されたストリーミングデータが再生後も記憶保
持が許可されているデータか否かを判別することができる。制御部２７により、再生後も
記憶保持が許可されていると判別されたストリーミングデータは、データ書込部２４ｃに
より破壊読出型メモリ２４ａに再び書き込まれる。このため、再生後も再生装置２０の側
で記憶保持することができるストリーミングデータについては、破壊読出型メモリ２４ａ
に再び書き込まれ、繰り返し再生部２５において再生することができる。
【００２９】
また、以上の様に、再生装置２０の側にストリーミングデータとして配信したコンテン
ツデータが、破壊型読出メモリに記憶され、破壊型読出メモリから破壊的に読み出されて
再生される。このため、コンテンツ配信業者等のコンテンツデータを供給する側では、著
作権管理が行われているような再生装置２０の側で記憶保持されて何度も繰り返し再生さ
せることが好ましくないようなコンテンツデータであっても、ユーザ側に安心して配信す
ることができる。また、再生装置２０の側において記憶保持が許可されていないストリー
ミングデータをユーザが繰り返し再生させたいと考えた場合には、その都度、コンテンツ
配信サーバ１０にアクセスして、ストリーミングデータの配信を受ける必要がある。この
ため、従量制料金体系によりこのコンテンツ配信システム１００を構築するような場合、
再生装置２０に対してストリーミングデータを配信する毎に課金することができる。した
がって、コンテンツ配信業者側では、コンテンツデータの不正コピー等が行われる心配が
なく、安心してコンテンツデータを供給することができるため、通信ネットワークＮ等を
介して提供されるコンテンツデータの種類や量を豊富にすることができる。
【００３０】
但し、上記実施の形態では、制御部２７によりコンテンツ配信サーバ１０から配信され
たストリーミングデータが再生後も記憶保持が許可されているデータであると判別された
場合に、データ書込部２４ｃによる破壊読出型メモリ２４ａに対する読み出したデータの
再書込動作を行わせずに、例えば、記憶部２６等の破壊読出型メモリ２４ａとは別の他の
記憶媒体をストリーミングデータ記憶保持部として、データ読出部２４ｂにより読み出さ
れたストリーミングデータを記憶保持させてもよい。当該構成としても、再生後も記憶保
持が許可されているストリーミングデータを、繰り返し再生部２５において再生すること
ができる。
【００３１】
〔第二の実施の形態〕
次に、本発明の第二の実施の形態を説明する。
第二の実施の形態のコンテンツ配信システム２００は、第一の実施の形態のコンテンツ
配信システム１００と略同様の構成を有しているので、同様の構成については同一符号を
付して説明を省略する。
第一の実施の形態では、再生装置２０からコンテンツ配信サーバ１０に対して、ストリ
ーミングデータの配信要求を行う場合についてのみ説明したが、第二の実施の形態では、
再生装置２０からコンテンツ配信サーバ１０に対して、ストリーミング形式だけではなく
ダウンロード形式で配信されるコンテンツデータについても配信要求を行う場合について
説明する。
第二の実施の形態では、コンテンツ配信サーバ１０は、コンテンツデータを再生装置２
０に対してダウンロード形式で配信する場合には、コンテンツデータの内容に応じてユー
ザに対して再生装置２０を介して課金処理を行うこともできる。
【００３２】
以下、第二の実施の形態の動作を説明する。
図４はコンテンツ再生処理の手順を示すフローチャートである。
ユーザが入力Ｉ／Ｆ部２１に接続されるキーボードやマウスなどの操作手段を介してコ
ンテンツデータの配信要求操作に伴って、ユーザの配信要求操作に対応した入力信号が制
御部２７に入力されると（ステップＳ２１：Ｙ）、制御部２７は所定の通信プロトコルに
従って、通信Ｉ／Ｆ部２３を介してコンテンツ配信サーバ１０にユーザの配信要求に対応
するコンテンツデータの配信要求信号を送信する（ステップＳ２２）。
【００３３】
コンテンツ配信サーバ１０では、再生装置２０の側から送信されたコンテンツデータの
配信要求信号を受信すると（ステップＳ２３）、配信要求に対応したコンテンツデータの
送信を開始し（ステップＳ２４）、再生装置２０に送信すべきコンテンツデータの送信が
終了するまで（ステップＳ２５：Ｙ）、コンテンツデータの送信を行う（ステップＳ２４
）。
但し、コンテンツ配信サーバ１０は、再生装置２０から送信されたコンテンツデータ配
信要求に対応するコンテンツデータの配信形式に応じて、所定の配信形式によりコンテン
ツデータを再生装置２０に送信する。すなわち、再生装置２０の側から送信されたコンテ
ンツデータ配信要求に対応するコンテンツデータに対して、ダウンロード形式での配信形
式が予め対応付けられている場合には、再生装置２０に対して当該コンテンツデータをダ
ウンロード形式で送信する。一方、再生装置２０の側から送信されたコンテンツデータ配
信要求に対応するコンテンツデータに対して、ストリーミング形式での配信形式が予め対
応付けられている場合には、再生装置２０に対して当該コンテンツデータをストリーミン
グ形式で送信する。
【００３４】
一方、再生装置２０ではコンテンツデータを受信すると（ステップＳ２６）、この受信
したコンテンツデータが再生後も再生装置２０の側で記憶保持が許可されているデータで
あるか否かをコンテンツデータに付随する付随情報に基づいて判別する（ステップＳ２７
）。
【００３５】
コンテンツ配信サーバ１０から受信したコンテンツデータが再生後も再生装置２０の側
で記憶保持が可能なデータではないと判別した場合（ステップＳ２７：Ｎ）、制御部２７
は、データ書込部２４ｃによりこのコンテンツデータを破壊読出型メモリ２４ａに記憶さ
せる（ステップＳ２８）。そして、制御部２７はデータ書込部２４ｃによるデータの再書
込動作を伴わずに、データ読出部２４ｂにより破壊読出型メモリ２４ａからコンテンツデ
ータを破壊的に読み出させて（ステップＳ２９）、コンテンツデータを再生して、再生信
号を出力Ｉ／Ｆ部２２を介して表示装置や音声出力装置などに出力させる（ステップＳ３
０）。再生処理が終了するまで（ステップＳ３１：Ｙ）、コンテンツデータの読み出し（
ステップＳ２９）、コンテンツデータの再生（ステップＳ３０）を繰り返し行わせる。
【００３６】
一方、コンテンツ配信サーバ１０から受信したコンテンツデータが再生後も再生装置２
０の側で記憶保持が可能なデータであると判別した場合（ステップＳ２７：Ｙ）、制御部
２７は、記憶部２６にこのコンテンツデータを記憶させ（ステップＳ３２）、記憶部２６
からコンテンツデータを非破壊的に読み出して（ステップＳ３３）、コンテンツデータを
再生する（ステップＳ３４）。
【００３７】
但し、上記ステップＳ２７において、付随情報とは、第一の実施の形態と同様に、当該
コンテンツデータが再生後も再生装置２０の側で記憶保持が許可されているデータである
か否かを判別するために用いられる情報を指す。また、ストリーミング形式で配信される
コンテンツデータは、再生後は再生装置２０の側で消去されることが前提として送信され
る場合が多いため、第二の実施の形態では、ストリーミング形式で送信されるコンテンツ
データについては、再生後は再生装置２０の側で記憶保持が許可されていないデータとし
て取り扱うものとする。この場合、ストリーミング形式で配信されるか否かは、コンテン
ツデータの配信形式に関する情報を付随情報として、このようなコンテンツデータの配信
形式に関する情報に基づいて判別することができる。コンテンツデータの配信形式に関す
る情報として、例えば、コンテンツデータのリソースを特定するＵＲＬ情報を用いること
ができる。ＵＲＬ情報には、当該コンテンツデータがストリーミングデータである場合に
は、「rtps://（但し、rtps：Real-Time Streaming Protocol）」や「stream」などの当
該コンテンツデータがストリーミングデータであることを示唆するような文字が含まれて
いる場合が多いため、ＵＲＬ情報に基づいて、コンテンツデータがストリーミングデータ
であるか否かを判別することができる。
また、コンテンツデータの課金処理に関する情報を付随情報として用いることができる
。コンテンツデータに対して課金処理が行われており、コンテンツ配信サーバ１０から配
信されるコンテンツデータがユーザの購入したものである場合、著作権保護の観点からデ
ータの使用回数等に制限がある場合を除き、再生装置２０の側で再生後も記憶保持が許可
されているデータと判別することができる。
【００３８】
また、図４においては図示を簡略化したが、ステップＳ２６〜ステップＳ２９、ステッ
プＳ３２〜ステップＳ３３においては、コンテンツ配信サーバ１０から送信されるコンテ
ンツデータがパケット化されて送信されるストリーミングデータの場合は、順次送信され
てくるストリーミングデータの受信が終了するまで繰り返される。
【００３９】
以上説明した第二の実施の形態によれば、制御部２７は、コンテンツ配信サーバ１０（
外部）から供給されるコンテンツデータに付随する付随情報に基づいて、当該コンテンツ
データが再生後も記憶保持が許可されているデータであるか否かを判別する。制御部２７
により、再生後も記憶保持が許可されているデータではないと判別されたコンテンツデー
タは、破壊読出型メモリ２４ａに記憶される。再生部２５は、データ読出部２４ｂにより
データの再書込動作を伴わずに破壊読出型メモリ２４ａから読み出されたコンテンツデー
タを再生する。データ読出部２４ｂにより破壊型メモリからコンテンツデータが読み出さ
れるときに、読み出されたコンテンツデータは破壊読出型メモリ２４ａから失われるため
、再生装置２０の側で再生後も記憶保持が許可されていないコンテンツデータを再生する
際に、処理の手間を要することなく当該コンテンツデータを消去することができる。
一方、再生後も再生装置２０の側で記憶保持が許可されているデータであると判別され
た場合には、記憶部２６にコンテンツデータが格納されるので、購入したコンテンツデー
タや、特に著作権管理などが行われていないコンテンツデータについては、再生装置２０
の側で記憶保持して繰り返し再生させることができる。
【００４０】
この様に、再生後の記憶保持が許可されていないコンテンツデータについては、再生装
置２０の側で破壊型読出メモリに記憶され、破壊型読出メモリから破壊的に読み出されて
再生される。このため、コンテンツ配信業者等のコンテンツデータを供給する側では、著
作権管理が行われているような再生装置２０の側で記憶保持されて何度も繰り返し再生さ
せることが好ましくないようなコンテンツデータであっても、ユーザ側に安心して配信す
ることができる。また、再生装置２０の側において記憶保持が許可されていないコンテン
ツデータをユーザが繰り返し再生させたいと考えた場合には、その都度、コンテンツ配信
サーバ１０にアクセスして、コンテンツデータの配信を受ける必要がある。このため、従
量制料金体系によりこのコンテンツ配信システム２００を構築するような場合、再生装置
２０に対して再生装置２０の側において記憶保持が許可されていないコンテンツデータを
配信する毎に課金することができる。したがって、コンテンツ配信業者側では、例えば、
楽曲データなどを配信する場合に、ユーザに対して購入前に試聴させる場合などであって
も、試聴のために配信する楽曲データの不正コピー等が行われる心配がなく、安心してコ
ンテンツデータを供給することができるため、通信ネットワークＮ等を介して提供される
楽曲データや動画データなどのコンテンツデータの種類や量を豊富にすることができる。
【００４１】
以上説明した実施の形態は本発明の一態様であり、本発明の趣旨を逸脱しない範囲にお
いて適宜変更可能であるのは勿論である。
例えば、上記第一の実施の形態のコンテンツ配信システム１００および第二の実施の形
態のコンテンツ配信システム２００では、それぞれコンテンツ配信サーバ１０からコンテ
ンツデータ（ストリーミングデータ）が配信（供給）される例について説明したが、例え
ば、ハードディスク等の記憶装置を内蔵し、記憶装置内に記憶されたコンテンツデータの
再生を行うことのできる携帯型音楽再生装置のような外部機器から転送されるコンテンツ
データであってもよい。この場合、ＤＲＭ（Digital Rights Management）技術により複
製が禁止されているようなコンテンツデータを、再生装置２０の側で再生後の記憶保持が
許可されていないデータとして取り扱うことができる。このため、このようなＤＲＭ技術
により複製が禁止されているコンテンツデータを再生装置２０に転送した場合であっても
、破壊読出型メモリ２４ａからコンテンツデータが読み出されてコンテンツデータを再生
する際に、再生装置２０の側でこのコンテンツデータを確実に消去することができる。
【００４２】
また、以上の説明においては、上記各機能を実現するための制御プログラムが、予め記
憶部２６に格納されている場合について説明したが、制御プログラムを、コンピュータ（
ＣＰＵ）読取可能な記憶媒体に記憶するようにしてもよい。このような構成であれば、コ
ンピュータによってプログラムが記憶媒体から読み取られ、読み取られたプログラムに従
ってコンピュータが処理を実行すると、上記各実施形態と同等の作用および効果が得られ
る。
ここで、記憶媒体とは、ＲＡＭ、ＲＯＭ等の半導体記憶媒体、ＦＤ、ＨＤ等の磁気記憶
型記憶媒体、上記光ディスク等の光学的読取方式記憶媒体、ＭＯ等の磁気記憶型／光学的
読取方式記憶媒体であって、電子的、磁気的、光学的等の読み取り方法のいかんにかかわ
らず、コンピュータで読み取り可能な記憶媒体であれば、どのような記憶媒体であっても
よい。
また、インターネット、ＬＡＮなどの通信ネットワークＮおよび通信インターフェース
部を介して記憶部２６等に制御用プログラムをダウンロードし、インストールして実行す
るように構成することも可能である。
【図面の簡単な説明】
【００４３】
【図１】実施の形態のコンテンツ配信システムの全体構成を示す図である。
【図２】実施の形態の再生装置の機能的構成を示すブロック図である。
【図３】第一の実施の形態の動作を示すフローチャートである。
【図４】第二の実施の形態の動作を示すフローチャートである。
【符号の説明】
【００４４】
１０…コンテンツ配信サーバ、２０…再生装置、２４…破壊読出型記憶部、２４ａ…破
壊読出型メモリ、２４ｂ…データ読出部、２４ｃ…データ書込部、２５…再生部、２６…
記憶部（ストリーミングデータ記憶保持部）、２７…制御部（判別部）、１００、２００
…コンテンツ配信システム、Ｎ…通信ネットワーク。
【図１】
2009130568.tif 000003
【図２】
2009130568.tif 000004
【図３】
2009130568.tif 000005
【図４】
2009130568.tif 000006